(57)【要約】【課題】設計自由度を向上させることができる蓄電モジュールを提供する。【解決手段】１以上の蓄電素子２００を備える蓄電モジュール１であって、１以上の蓄電素子２００のうちの少なくとも１つの蓄電素子２００に接続される第一配線４４０と、外部の第二配線とを接続するための配線接続部と、配線接続部が着脱可能に取り付けられる取付部３１０とを備える。【選択図】図７
2015002078.tif 000002
【特許請求の範囲】
【請求項１】
１以上の蓄電素子を備える蓄電モジュールであって、
前記１以上の蓄電素子のうちの少なくとも１つの蓄電素子に接続される第一配線と、外部の第二配線とを接続するための配線接続部と、
前記配線接続部が着脱可能に取り付けられる取付部と
を備える蓄電モジュール。
【請求項２】
前記配線接続部は、前記取付部に取り付けられた場合に前記第一配線に接続され、前記蓄電モジュールを備える蓄電パック内の前記蓄電モジュールとは異なる蓄電モジュールに接続された前記第二配線と接続されることで、前記第一配線と前記第二配線とを接続する
請求項１に記載の蓄電モジュール。
【請求項３】
前記配線接続部は、
前記第一配線が接続されるコネクタと、
前記コネクタを保持するコネクタ保持部と、
前記コネクタ保持部が着脱可能に取り付けられる本体部とを有する
請求項１または２に記載の蓄電モジュール。
【請求項４】
前記本体部は、前記第一配線の配線経路を案内する曲面形状のガイド部を有する
請求項３に記載の蓄電モジュール。
【請求項５】
前記１以上の蓄電素子のそれぞれは、正極端子及び負極端子を有し、
前記配線接続部は、前記蓄電モジュールの、前記正極端子及び前記負極端子の並び方向側の側面に配置される
請求項１〜４のいずれか１項に記載の蓄電モジュール。
【請求項６】
前記配線接続部は、前記蓄電モジュールの短側面側に配置される
請求項１〜５のいずれか１項に記載の蓄電モジュール。
【請求項７】
さらに、
前記配線接続部を取り付けるための複数の開口部と、
前記複数の開口部のうちの前記配線接続部が取り付けられていない開口部を閉塞する閉塞部材とを備える
請求項１〜６のいずれか１項に記載の蓄電モジュール。
【請求項８】
前記蓄電モジュールは、１以上の蓄電素子を備える単位モジュールを複数備えており、
前記配線接続部は、前記複数の単位モジュールのうちの最も外側の単位モジュールに備えられた前記取付部に着脱可能に取り付けられる外部配線接続部を有する
請求項１〜７のいずれか１項に記載の蓄電モジュール。
【請求項９】
さらに、
前記複数の単位モジュールのうちの前記外部配線接続部が備えられる単位モジュールに配置される基板を備える
請求項８に記載の蓄電モジュール。
【請求項１０】
さらに、
前記複数の単位モジュールの内方に冷却媒体を流入させる冷却装置を備え、
前記基板は、前記複数の単位モジュールのうちの前記冷却媒体の流れの上流の単位モジュールに配置される
請求項９に記載の蓄電モジュール。
【請求項１１】
前記蓄電モジュールは、１以上の蓄電素子を備える単位モジュールを複数備えており、
前記配線接続部は、前記複数の単位モジュールのうちの２つの単位モジュールを跨ぐように配置され、当該２つの単位モジュール間を跨る配線の配線経路を形成する配線経路形成部を有する
請求項１〜１０のいずれか１項に記載の蓄電モジュール。
【請求項１２】
前記複数の単位モジュールのそれぞれは、前記配線経路形成部を着脱可能に取り付けることができる２つの前記取付部を有し、
前記配線経路形成部は、前記複数の単位モジュールのうちの隣り合う２つの単位モジュールが有する隣り合う２つの前記取付部に跨って、着脱可能に取り付けられる
請求項１１に記載の蓄電モジュール。
【発明の詳細な説明】
【技術分野】
【０００１】
本発明は、１以上の蓄電素子をモジュールケースに収容した蓄電モジュールに関する。
【背景技術】
【０００２】
従来、１以上の単電池（蓄電素子）をモジュールケースに収容した電池モジュール（蓄電モジュール）を複数備え、当該複数の電池モジュールをパックケースに収容した電池パック（蓄電パック）が知られている（例えば、特許文献１参照）。このような電池パックにおいては、単電池の電圧等を監視するために、当該電圧等の情報を取得するためのケーブルが、単電池の電極端子から電池パックのパックケース外部に向けて配線されている。
【先行技術文献】
【特許文献】
【０００３】
【特許文献１】特開２０１２−１２８９８３号公報
【発明の概要】
【発明が解決しようとする課題】
【０００４】
しかしながら、上記従来の構成では、単電池の電圧等を監視するための配線によって、電池モジュールの設計自由度が制限されてしまうという問題がある。
【０００５】
つまり、従来の電池パックにおいては、パックケースに収容されている電池モジュールの構成を、配線に合わせた構成にする必要があるため、当該電池モジュールの構成が制約され、当該電池モジュールの設計自由度が制限されてしまう。
【０００６】
本発明は、上記問題を解決するためになされたものであり、設計自由度を向上させることができる蓄電モジュールを提供することを目的とする。
【課題を解決するための手段】
【０００７】
上記目的を達成するために、本発明の一態様に係る蓄電モジュールは、１以上の蓄電素子を備える蓄電モジュールであって、前記１以上の蓄電素子のうちの少なくとも１つの蓄電素子に接続される第一配線と、外部の第二配線とを接続するための配線接続部と、前記配線接続部が着脱可能に取り付けられる取付部とを備える。
【０００８】
これによれば、蓄電モジュールは、蓄電素子に接続される第一配線と外部の第二配線とを接続するための配線接続部が、取付部に着脱可能に取り付けられる構成を有している。このため、蓄電モジュールの構成を変更した場合でも、配線接続部を取り替えることで、蓄電モジュールの構成に合った配線を接続することができる。また、蓄電モジュールに配線を接続する必要がない場合には、配線接続部を取り外したり、不要なコネクタが配置されていない配線接続部を取り付けるなど、蓄電モジュールの構成を簡略化することもできる。以上のように、着脱可能な配線接続部を有することによって、蓄電モジュールの設計自由度を向上させることができる。
【０００９】
また、前記配線接続部は、前記取付部に取り付けられた場合に前記第一配線に接続され、前記蓄電モジュールを備える蓄電パック内の前記蓄電モジュールとは異なる蓄電モジュールに接続された前記第二配線と接続されることで、前記第一配線と前記第二配線とを接続することにしてもよい。
【００１０】
これによれば、配線接続部によって、蓄電パック内の２つの蓄電モジュールを接続することができる。つまり、当該２つの蓄電モジュールの構成が異なる場合でも、蓄電モジュールの構成に合った配線接続部を取り付けることで、当該２つの蓄電モジュールを接続することができ、蓄電モジュールの設計自由度を向上させることができる。
【００１１】
また、前記配線接続部は、前記第一配線が接続されるコネクタと、前記コネクタを保持するコネクタ保持部と、前記コネクタ保持部が着脱可能に取り付けられる本体部とを有することにしてもよい。
【００１２】
これによれば、配線接続部は、コネクタを保持するコネクタ保持部が本体部に着脱可能に取り付けられる構成を有している。このため、蓄電モジュールの構成を変更した場合でも、コネクタ保持部を取り替えることで、蓄電モジュールの構成に合った配線を接続することができる。また、蓄電モジュールに配線を接続する必要がない場合には、コネクタ保持部を取り外したり、不要なコネクタが配置されていないコネクタ保持部を取り付けるなど、蓄電モジュールの構成を簡略化することもできる。以上のように、着脱可能なコネクタ保持部を有することによって、蓄電モジュールの設計自由度を向上させることができる。
【００１３】
また、前記本体部は、前記第一配線の配線経路を案内する曲面形状のガイド部を有することにしてもよい。
【００１４】
これによれば、配線接続部の本体部は、第一配線の配線経路を案内する曲面形状のガイド部を有しているため、第一配線を折り曲げたりすることなく、容易に配線接続部に接続することができる。
【００１５】
また、前記１以上の蓄電素子のそれぞれは、正極端子及び負極端子を有し、前記配線接続部は、前記蓄電モジュールの、前記正極端子及び前記負極端子の並び方向側の側面に配置されることにしてもよい。
【００１６】
これによれば、配線接続部は、蓄電素子の正極端子及び負極端子の並び方向側の蓄電モジュールの側面に配置されている。ここで、第一配線が配置される基板を、蓄電素子の正極端子と負極端子との間の隙間に配置する場合には、蓄電モジュールの当該並び方向側の端部には当該基板は配置されない。このため、基板上にコネクタを設ける構成では、正極端子と負極端子とが邪魔になり、蓄電モジュールの当該並び方向側の側面から第二配線と接続させることは困難である。しかし、配線接続部を蓄電モジュールの当該並び方向側の側面に配置することで、当該基板を蓄電素子の正極端子と負極端子との間の隙間に配置する場合であっても、正極端子と負極端子とが邪魔になることなく、容易に当該並び方向側の側面から第二配線と接続させることができる。したがって、蓄電モジュールの当該並び方向側の側面側に第二配線が配置される場合でも、第二配線を配線接続部のコネクタに接続することで、容易に、当該並び方向側の側面から第二配線と接続させることができる。
【００１７】
また、前記配線接続部は、前記蓄電モジュールの短側面側に配置されることにしてもよい。
【００１８】
これによれば、配線接続部は、蓄電モジュールの短側面側に配置されているため、例えば当該短側面側に配置された第二配線を有する格納棚に向けて蓄電モジュールを差し込むような場合には、容易に、第二配線を配線接続部に接続することができる。
【００１９】
また、さらに、前記配線接続部を取り付けるための複数の開口部と、前記複数の開口部のうちの前記配線接続部が取り付けられていない開口部を閉塞する閉塞部材とを備えることにしてもよい。
【００２０】
これによれば、蓄電モジュールは、配線接続部を取り付けるための複数の開口部のうちの配線接続部が取り付けられていない開口部を閉塞する閉塞部材を備えているため、当該開口部から異物が蓄電モジュール内に侵入するのを防ぐことができる。特に、ファンなどによって蓄電モジュール内に空気を吸い込んで空冷している場合には、空気を吸い込む際に異物が侵入するおそれがあるが、当該閉塞部材を備えることによって異物の侵入を容易に防ぐことができる。
【００２１】
また、前記蓄電モジュールは、１以上の蓄電素子を備える単位モジュールを複数備えており、前記配線接続部は、前記複数の単位モジュールのうちの最も外側の単位モジュールに備えられた前記取付部に着脱可能に取り付けられる外部配線接続部を有することにしてもよい。
【００２２】
これによれば、蓄電モジュールは、複数の単位モジュールを備えており、配線接続部は、最も外側の単位モジュールの取付部に取り付けられる外部配線接続部を有しているため、外部配線接続部によって第二配線を蓄電モジュールに容易に接続することができる。また、簡易な構造の単位モジュールを複数並べることで、蓄電モジュールを簡易に構成することができる。
【００２３】
また、さらに、前記複数の単位モジュールのうちの前記外部配線接続部が備えられる単位モジュールに配置される基板を備えることにしてもよい。
【００２４】
これによれば、蓄電モジュールにおいて、外部配線接続部が備えられた単位モジュールに基板が配置されているため、コネクタの近くに基板を配置することができ、コネクタと基板とを繋ぐケーブルの長さを短くすることができる。
【００２５】
また、さらに、前記複数の単位モジュールの内方に冷却媒体を流入させる冷却装置を備え、前記基板は、前記複数の単位モジュールのうちの前記冷却媒体の流れの上流の単位モジュールに配置されることにしてもよい。
【００２６】
これによれば、基板は、冷却装置が流入させる冷却媒体の流れの上流の単位モジュールに配置されているため、流入した冷却媒体が基板に触れることにより、蓄電素子から発せられる熱によって基板が熱くなるのを抑制することができる。
【００２７】
また、前記蓄電モジュールは、１以上の蓄電素子を備える単位モジュールを複数備えており、前記配線接続部は、前記複数の単位モジュールのうちの２つの単位モジュールを跨ぐように配置され、当該２つの単位モジュール間を跨る配線の配線経路を形成する配線経路形成部を有することにしてもよい。
【００２８】
これによれば、蓄電モジュールは、複数の単位モジュールを備えており、配線接続部は、２つの単位モジュール間を跨る配線の配線経路を形成する配線経路形成部を備えているため、２つの単位モジュール間での配線を容易に行うことができる。
【００２９】
また、前記複数の単位モジュールのそれぞれは、前記配線経路形成部を着脱可能に取り付けることができる２つの前記取付部を有し、前記配線経路形成部は、前記複数の単位モジュールのうちの隣り合う２つの単位モジュールが有する隣り合う２つの前記取付部に跨って、着脱可能に取り付けられることにしてもよい。
【００３０】
これによれば、複数の単位モジュールのそれぞれは、配線経路形成部を着脱可能に取り付けることができる２つの取付部を有しているため、必要に応じて、配線経路形成部を付け替えることができる。
【発明の効果】
【００３１】
本発明における蓄電モジュールによれば、設計自由度を向上させることができる。
【図面の簡単な説明】
【００３２】
【図１】本発明の実施の形態に係る蓄電モジュールの外観を示す斜視図である。
【図２】本発明の実施の形態に係る蓄電モジュールを分解した場合の各構成要素を示す分解斜視図である。
【図３】本発明の実施の形態に係るモジュール群の内部の各構成要素を示す斜視図である。
【図４】本発明の実施の形態に係るモジュール群を分解した場合の各構成要素を示す分解斜視図である。
【図５】本発明の実施の形態に係る蓄電素子を内部を透視して示す斜視図である。
【図６】本発明の実施の形態に係る規制部材の外観を示す斜視図である。
【図７】本発明の実施の形態に係る規制部材に、外部配線接続部及び配線経路形成部が取り付けられる構成を示す斜視図である。
【図８】本発明の実施の形態に係る外部配線接続部の外観を示す斜視図である。
【図９】本発明の実施の形態に係る外部配線接続部を分解した場合の各構成要素を示す分解斜視図である。
【図１０】本発明の実施の形態に係る配線経路形成部の外観を示す斜視図である。
【図１１】本発明の実施の形態に係る外部配線接続部の外観を示す斜視図である。
【図１２】本発明の実施の形態に係る外部配線接続部を分解した場合の各構成要素を示す分解斜視図である。
【図１３】本発明の実施の形態に係る蓄電モジュールを備える蓄電パックの構成を示す斜視図である。
【図１４】本発明の実施の形態に係る蓄電モジュールが格納される格納棚の構成を示す斜視図である。
【発明を実施するための形態】
【００３３】
以下、図面を参照しながら、本発明の実施の形態に係る蓄電モジュールについて説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００３４】
（実施の形態）
まず、蓄電モジュール１の構成について、説明する。
【００３５】
図１は、本発明の実施の形態に係る蓄電モジュール１の外観を示す斜視図である。また、図２は、本発明の実施の形態に係る蓄電モジュール１を分解した場合の各構成要素を示す分解斜視図である。
【００３６】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００３７】
蓄電モジュール１は、外部からの電気を充電し、また外部へ電気を放電することができる装置である。例えば、蓄電モジュール１は、電力貯蔵用途や電源用途などに使用される高耐圧の電池モジュールである。
【００３８】
これらの図に示すように、蓄電モジュール１は、複数の単位モジュール１１、１２及び１３を有するモジュール群１０、下側連結部材２０、上側連結部材３０及び冷却装置４０を備えている。なお、蓄電モジュール１は、１つの単位モジュールしか備えていない構成でもかまわない。
【００３９】
モジュール群１０は、Ｘ軸方向に一列に並ぶ複数の単位モジュール１１、１２及び１３を備えている。また、単位モジュール１１には、後述する正極外部端子のカバーである正極外部端子カバー１１ａと、後述する負極外部端子のカバーである負極外部端子カバー１１ｂとが設けられている。蓄電モジュール１は、この正極外部端子カバー１１ａ内の正極外部端子と、負極外部端子カバー１１ｂ内の負極外部端子とを介して、外部からの電気を充電し、また外部へ電気を放電する。
【００４０】
単位モジュール１１、１２及び１３は、１以上の蓄電素子をモジュールケース１４に収容した矩形状のモジュールであり、それぞれ同様の構成を有している。また、単位モジュール１１、１２及び１３のうちの隣り合う単位モジュールの正極端子と負極端子とが電気的に接続されることで、単位モジュール１１、１２及び１３内の全ての蓄電素子が直列に接続されている。なお、モジュール群１０の詳細な構成についての説明は、後述する。
【００４１】
下側連結部材２０及び上側連結部材３０は、複数の単位モジュール１１、１２及び１３を連結する部材であり、下側連結部材２０は下側の連結部材、上側連結部材３０は、上側の連結部材である。つまり、下側連結部材２０と上側連結部材３０とで単位モジュール１１、１２及び１３を挟み込むように固定することで、単位モジュール１１、１２及び１３を連結する。
【００４２】
具体的には、下側連結部材２０及び上側連結部材３０は、平板状の部材であり、例えば金属などの導電性の部材によって形成されている。これにより、単位モジュール１１、１２及び１３を強固に安定して固定することができる。
【００４３】
また、下側連結部材２０には、複数の単位モジュール１１、１２及び１３のそれぞれが有するモジュールケース１４が載置される。
【００４４】
冷却装置４０は、モジュール群１０の内方に冷却媒体を流入させる冷却用のファンである。つまり、冷却装置４０は、モジュール群１０のＸ軸マイナス側の端面から冷却媒体である外部の空気を吸い込み、複数の単位モジュール１１、１２及び１３のそれぞれが有するモジュールケース１４内方に当該空気を流入させる。そして、冷却装置４０は、当該空気を、モジュール群１０のＸ軸プラス側の端面から吐き出して冷却装置４０の背面から排出する。
【００４５】
なお、冷却装置４０は、モジュール群１０のＸ軸プラス側の端面から外部の空気を吸い込み、モジュール群１０のＸ軸マイナス側の端面から当該空気を吐き出す構成でもかまわない。また、冷却装置４０がモジュール群１０内に流入させる冷却媒体は空気には限定されず、冷却器などにより冷却された冷気などであってもよい。また、本実施の形態では、冷却装置４０は、２つのファンを有しているが、冷却装置４０が有するファンの個数は限定されない。また、冷却装置４０は、モジュール群１０内に冷却媒体を流入させるものであれば、ファンでなくともかまわない。
【００４６】
次に、モジュール群１０の詳細な構成について、説明する。
【００４７】
図３は、本発明の実施の形態に係るモジュール群１０の内部の各構成要素を示す斜視図である。具体的には、同図は、モジュール群１０から蓋体７００を分離して内部構成を示した図である。また、図４は、本発明の実施の形態に係るモジュール群１０を分解した場合の各構成要素を示す分解斜視図である。
【００４８】
これらの図に示すように、モジュール群１０が備える単位モジュール１１、１２及び１３のそれぞれは、ケース本体１００と蓋体７００とからなるモジュールケース１４、及び、モジュールケース１４に収容される複数の蓄電素子２００（本実施の形態では４つの蓄電素子２００）と規制部材３００とバスバー４３０とを備えている。また、モジュール群１０は、単位モジュール１１に備えられる外部配線接続部５１０及び基板６００と、単位モジュール１１、１２及び１３の間を跨ぐように備えられる配線経路形成部５２０と、単位モジュール１３に備えられる外部配線接続部５３０及び閉止部材５４０とを備えている。
【００４９】
ここで、外部配線接続部５１０、５３０及び配線経路形成部５２０は、複数の蓄電素子２００のうちの少なくとも１つの蓄電素子２００に接続される第一配線４４０と、外部の第二配線とを接続するための配線接続部である。つまり、単位モジュール１１、１２及び１３は、当該配線接続部として、外部配線接続部５１０、５３０及び配線経路形成部５２０のうちの少なくとも１つを有している。
【００５０】
モジュールケース１４は、単位モジュール１１、１２、１３の外装体を構成する矩形状（箱状）の容器である。モジュールケース１４は、複数の蓄電素子２００や基板６００などを所定の位置に配置し、複数の蓄電素子２００や基板６００などを衝撃などから保護する。また、モジュールケース１４は、例えばポリカーボネート等の樹脂などの絶縁性の材料により構成されており、蓄電素子２００や基板６００などが外部の金属部材などに接触することを回避する。
【００５１】
ここで、モジュールケース１４は、ケース本体１００と蓋体７００とを有している。ケース本体１００は、モジュールケース１４の本体を構成する有底矩形筒状の部材である。蓋体７００は、モジュールケース１４の蓋を構成する部材であり、ケース本体１００の開口を塞ぐ扁平な矩形状の部材である。
【００５２】
具体的には、ケース本体１００内方に、複数の蓄電素子２００、規制部材３００、バスバー４３０の順に配置され、ケース本体１００の開口部が蓋体７００で閉止される。このように、重量物である複数の蓄電素子２００を最下部に配置することで、単位モジュール１１、１２、１３の安定性が向上する。
【００５３】
それぞれの蓄電素子２００は、正極端子２３０と負極端子２４０とを有する単電池であり、単位モジュール１１、１２、１３のモジュールケース１４内に複数収容されている。なお、モジュールケース１４内に収容される蓄電素子２００は、複数でなくともよく、１つの蓄電素子２００しか収容されていない構成でもかまわない。また、単位モジュール１１、１２、１３に異なる数の蓄電素子２００が配置されていてもよい。蓄電素子２００の詳細な構成についての説明は、後述する。
【００５４】
バスバー４３０は、規制部材３００の上方に配置される金属など導電性の部材であり、複数の蓄電素子２００同士を電気的に接続する。具体的には、バスバー４３０は、隣接する蓄電素子２００において、１の蓄電素子２００の正極端子２３０または負極端子２４０と、他の蓄電素子２００の負極端子２４０または正極端子２３０とを接続する。
【００５５】
また、単位モジュール１１には、正極外部端子カバー１１ａ内に配置される正極外部端子４１０と、負極外部端子カバー１１ｂ内に配置される負極外部端子４２０とが設けられている。正極外部端子４１０及び負極外部端子４２０は、蓄電モジュール１が外部からの電気を充電し、また外部へ電気を放電するための電極端子である。つまり、蓄電モジュール１は、正極外部端子４１０及び負極外部端子４２０を介して、外部からの電気を充電し、また外部へ電気を放電する。
【００５６】
具体的には、蓄電モジュール１に備えられた複数の蓄電素子２００のうち正極外部端子４１０側に配置された蓄電素子２００の正極端子２３０が正極外部端子４１０と接続され、当該蓄電素子２００の負極端子２４０は、バスバー４３０を介して、隣接する蓄電素子２００の正極端子２３０と接続される。また同様に、当該複数の蓄電素子２００のうち負極外部端子４２０側に配置された蓄電素子２００の負極端子２４０が負極外部端子４２０と接続され、当該蓄電素子２００の正極端子２３０は、バスバー４３０を介して、隣接する蓄電素子２００の負極端子２４０と接続される。また、その他の蓄電素子２００の正極端子２３０または負極端子２４０は、バスバー４３０を介して、隣接する蓄電素子２００の負極端子２４０または正極端子２３０と接続される。
【００５７】
規制部材３００は、複数の蓄電素子２００の上方に配置される扁平な矩形状の部材である。規制部材３００は、例えば樹脂などの絶縁性の材料により構成されている。ここで、規制部材３００は、ケース本体１００内での複数の蓄電素子２００の位置を規制する部材である。具体的には、規制部材３００は、ケース本体１００の内方に嵌め込まれ、複数の蓄電素子２００を上方から押さえ込むことで、複数の蓄電素子２００をケース本体１００に固定する。
【００５８】
また、単位モジュール１１の規制部材３００には、基板６００が載置されるとともに、外部配線接続部５１０が取り付けられる。また、単位モジュール１１及び１２の規制部材３００を跨ぐように、また単位モジュール１２及び１３の規制部材３００を跨ぐように、配線経路形成部５２０が取り付けられる。また、単位モジュール１３の規制部材３００には、外部配線接続部５３０及び閉止部材５４０が取り付けられる。
【００５９】
このように、規制部材３００は、蓄電素子２００をケース本体１００に固定する機能を有するとともに、基板６００を載置する載置台、及び外部配線接続部５１０、５３０、配線経路形成部５２０及び閉止部材５４０を取り付ける取付台としても機能する。ここで、規制部材３００、外部配線接続部５１０、５３０、配線経路形成部５２０及び閉止部材５４０の詳細な構成についての説明は、後述する。
【００６０】
基板６００は、モジュール群１０が備える複数の蓄電素子２００の充電状態や放電状態（電圧、温度などの電池状態）などを取得し、監視するための制御基板である。基板６００には、例えば、当該監視を行ったり、リレーのオン、オフを制御したり、他の機器と通信を行ったりするための制御回路（図示せず）が設けられている。
【００６１】
具体的には、基板６００は、複数の蓄電素子２００それぞれの正極端子２３０と負極端子２４０との間の隙間に配置されており、第一配線４４０によって、当該複数の蓄電素子２００に接続されるとともに、外部配線接続部５１０に接続されている。つまり、第一配線４４０は、蓄電素子２００の正極端子２３０または負極端子２４０と基板６００とを繋ぐリード線と、基板６００と外部配線接続部５１０とを繋ぐケーブルとで構成される配線である。なお、同図では、第一配線４４０は短く省略して図示している。
【００６２】
つまり、単位モジュール１１が備える複数の蓄電素子２００の正極端子２３０または負極端子２４０に接続された第一配線４４０は、基板６００の周囲に沿って延び、基板６００を経由して、外部配線接続部５１０に接続されている。
【００６３】
また、単位モジュール１２が備える複数の蓄電素子２００の正極端子２３０または負極端子２４０に接続された第一配線４４０は、単位モジュール１１及び１２を跨ぐように配置された配線経路形成部５２０内の配線経路に沿って延び、基板６００を経由して、外部配線接続部５１０に接続されている。
【００６４】
また、単位モジュール１３が備える複数の蓄電素子２００の正極端子２３０または負極端子２４０に接続された第一配線４４０は、単位モジュール１２及び１３を跨ぐように配置された配線経路形成部５２０内の配線経路に沿って延びるとともに、単位モジュール１１及び１２を跨ぐように配置された配線経路形成部５２０内の配線経路に沿って延び、基板６００を経由して、外部配線接続部５１０に接続されている。
【００６５】
また、同様に、単位モジュール１３に配置された外部配線接続部５３０に接続されたケーブルは、単位モジュール１２及び１３を跨ぐように配置された配線経路形成部５２０内の配線経路に沿って延びるとともに、単位モジュール１１及び１２を跨ぐように配置された配線経路形成部５２０内の配線経路に沿って延び、基板６００を経由して、外部配線接続部５１０に接続されている。
【００６６】
そして、外部配線接続部５１０は、外部の第二配線（例えば、後述する第二配線５０）に接続される。つまり、外部配線接続部５１０は、１以上の蓄電素子２００のうちの少なくとも１つの蓄電素子２００に接続される第一配線４４０と、外部の第二配線とを接続する部材である。
【００６７】
ここで、外部配線接続部５１０は、蓄電モジュール１の、正極端子２３０及び負極端子２４０の並び方向（Ｘ軸方向）側の側面に配置されている。つまり、外部配線接続部５１０は、蓄電モジュール１の短側面側（Ｘ軸マイナス側の側面）に配置されている。具体的には、外部配線接続部５１０は、複数の単位モジュール１１、１２及び１３のうちの最も外側（単位モジュールの配列方向における外側）の単位モジュール１１のＸ軸マイナス側の側面に着脱可能に取り付けられている。
【００６８】
また、基板６００は、単位モジュール１１の規制部材３００上に配置され、かつ、単位モジュール１１の蓋体７００に覆われるように配置されている。つまり、基板６００は、複数の単位モジュール１１、１２及び１３のうちの、外部配線接続部５１０が備えられる単位モジュールであり、かつ、冷却装置４０が流入させる冷却媒体（空気）の流れの上流の単位モジュールである単位モジュール１１に配置されている。
【００６９】
このように、基板６００は、単位モジュール１１の規制部材３００と蓋体７００とで挟まれることで、規制部材３００と蓋体７００とに保護されるように配置されている。なお、基板６００は、単位モジュール１１ではなく、単位モジュール１２または１３に備えられていてもよいし、単位モジュール１１に加えて単位モジュール１２及び１３にも備えられている構成でもかまわない。
【００７０】
次に、蓄電素子２００の構成について、詳細に説明する。
【００７１】
図５は、本発明の実施の形態に係る蓄電素子２００を内部を透視して示す斜視図である。
【００７２】
蓄電素子２００は、電気を充電し、また、電気を放電することのできる二次電池であり、より具体的には、リチウムイオン二次電池などの非水電解質二次電池である。なお、蓄電素子２００は、非水電解質二次電池には限定されず、非水電解質二次電池以外の二次電池であってもよいし、キャパシタであってもよい。
【００７３】
同図に示すように、蓄電素子２００は、容器２１０、正極端子２３０及び負極端子２４０を備え、容器２１０は、上壁である容器蓋部２２０を備えている。また、容器２１０内方には、電極体２５０、正極集電体２６０及び負極集電体２７０が配置されている。なお、容器２１０の内部には電解液などの液体が封入されているが、当該液体の図示は省略する。
【００７４】
容器２１０は、金属からなる矩形筒状で底を備える筐体本体と、当該筐体本体の開口を閉塞する金属製の容器蓋部２２０とで構成されている。また、容器２１０は、電極体２５０等を内部に収容後、容器蓋部２２０と筐体本体とが溶接等されることにより、内部を密封することができるものとなっている。なお、容器２１０の材質は、特に限定されないが、例えばステンレス鋼など溶接可能な金属であるのが好ましい。
【００７５】
電極体２５０は、正極と負極とセパレータとを備え、電気を蓄えることができる発電要素である。具体的には、電極体２５０は、正極と負極との間にセパレータが挟み込まれるように層状に配置されたものを全体が長円形状となるように巻回されて形成された巻回型の電極体である。なお、電極体２５０は、平板状極板を積層した積層型の電極体であってもかまわない。
【００７６】
ここで、正極は、アルミニウムまたはアルミニウム合金からなる長尺帯状の導電性の正極集電箔の表面に正極活物質層が形成された電極板であり、負極は、銅または銅合金からなる長尺帯状の導電性の負極集電箔の表面に負極活物質層が形成された電極板であり、セパレータは、微多孔性のシートである。なお、蓄電素子２００に用いられる正極、負極及びセパレータは、特に従来用いられてきたものと異なるところはなく、蓄電素子２００の性能を損なうものでなければ適宜公知の材料を使用できる。また、容器２１０に封入される電解液（非水電解液）としても、蓄電素子２００の性能を損なうものでなければその種類に特に制限はなく様々なものを選択することができる。
【００７７】
正極端子２３０は、正極集電体２６０を介して、電極体２５０の正極に電気的に接続された電極端子であり、負極端子２４０は、負極集電体２７０を介して、電極体２５０の負極に電気的に接続された電極端子であり、いずれも容器蓋部２２０に取り付けられている。つまり、正極端子２３０及び負極端子２４０は、電極体２５０に蓄えられている電気を蓄電素子２００の外部空間に導出し、また、電極体２５０に電気を蓄えるために蓄電素子２００の内部空間に電気を導入するための金属製の電極端子である。
【００７８】
正極集電体２６０は、電極体２５０の正極と容器２１０の側壁との間に配置され、正極端子２３０と正極とに電気的に接続される導電性と剛性とを備えた部材である。なお、正極集電体２６０は、正極の正極集電箔と同様、アルミニウムで形成されている。また、負極集電体２７０は、電極体２５０の負極と容器２１０の側壁との間に配置され、負極端子２４０と電極体２５０の負極とに電気的に接続される導電性と剛性とを備えた部材である。なお、負極集電体２７０は、負極の負極集電箔と同様、銅で形成されている。
【００７９】
次に、規制部材３００、外部配線接続部５１０、５３０、配線経路形成部５２０及び閉止部材５４０の詳細な構成について、説明する。まず、規制部材３００に、外部配線接続部５１０、５３０、配線経路形成部５２０及び閉止部材５４０が取り付けられる構成について、詳細に説明する。
【００８０】
図６は、本発明の実施の形態に係る規制部材３００の外観を示す斜視図である。また、図７は、本発明の実施の形態に係る規制部材３００に、外部配線接続部５１０、５３０及び配線経路形成部５２０が取り付けられる構成を示す斜視図である。
【００８１】
これらの図に示すように、規制部材３００は、Ｘ軸方向の両側に配置される２つの取付部３１０を備えている。取付部３１０は、外部配線接続部５１０が着脱可能に取り付けられる部位であり、外部配線接続部５１０を取り付けるための矩形状の開口部３１１と突起部３１２とが形成されている。
【００８２】
また、取付部３１０には、外部配線接続部５３０及び配線経路形成部５２０を着脱可能に取り付けることもできる。つまり、複数の単位モジュール１１、１２及び１３のそれぞれは、外部配線接続部５１０、５３０及び配線経路形成部５２０を着脱可能に取り付けることができる２つの取付部３１０を有している。そして、取付部３１０には、外部配線接続部５１０、５３０及び配線経路形成部５２０を取り付けるための矩形状の開口部３１１と突起部３１２とが形成されている。
【００８３】
ここで、図３に示したように、外部配線接続部５１０及び５３０は、複数の単位モジュール１１、１２及び１３のうちの最も外側の単位モジュール１１及び１３に備えられた取付部３１０に着脱可能に取り付けられる。つまり、外部配線接続部５１０は、複数の単位モジュール１１、１２及び１３が備える取付部３１０のうちの最も外側（Ｘマイナス側）の取付部３１０に着脱可能に取り付けられる。また、外部配線接続部５３０は、複数の単位モジュール１１、１２及び１３が備える取付部３１０のうちの最も外側（Ｘプラス側）の取付部３１０に着脱可能に取り付けられる。
【００８４】
また、配線経路形成部５２０は、複数の単位モジュール１１、１２及び１３が備える取付部３１０のうちの内側の隣り合う２つの取付部３１０を跨ぐように、当該２つの取付部３１０に着脱可能に取り付けられる。
【００８５】
また、図６に示すように、規制部材３００には、それぞれの取付部３１０の両側（規制部材３００の四隅）に、開口部３２０が形成されている。開口部３２０は、図４に示された正極外部端子４１０、負極外部端子４２０、バスバー４３０または閉止部材５４０が挿入される矩形状の開口部である。
【００８６】
つまり、単位モジュール１１が備える取付部３１０の開口部３２０のうち、Ｘ軸マイナス側の２つの開口部３２０には、正極外部端子４１０及び負極外部端子４２０が配置され、Ｘ軸プラス側の２つの開口部３２０には、バスバー４３０が配置される。また、単位モジュール１２が備える取付部３１０の４つ開口部３２０には、バスバー４３０が配置される。
【００８７】
また、単位モジュール１３が備える取付部３１０の開口部３２０のうち、Ｘ軸マイナス側の２つの開口部３２０には、バスバー４３０が配置され、Ｘ軸プラス側の２つの開口部３２０には、当該２つの開口部３２０を閉止するための閉止部材５４０が着脱可能に取り付けられる。つまり、閉止部材５４０は、正極外部端子４１０、負極外部端子４２０及びバスバー４３０が挿入されない開口部３２０を閉止するための部材であり、例えば樹脂などの絶縁性の材料により構成されている。
【００８８】
次に、外部配線接続部５１０の構成について、詳細に説明する。
【００８９】
図８は、本発明の実施の形態に係る外部配線接続部５１０の外観を示す斜視図である。また、図９は、本発明の実施の形態に係る外部配線接続部５１０を分解した場合の各構成要素を示す分解斜視図である。
【００９０】
これらの図に示すように、外部配線接続部５１０は、本体部５１１と、コネクタ保持部５１２と、コネクタ５１３〜５１５とを有している。なお、外部配線接続部５１０は、例えば樹脂などの絶縁性の材料により構成されている。
【００９１】
本体部５１１は、外部配線接続部５１０の本体であり、図９に示すように、コネクタ保持部取付部５１１ａと、ガイド部５１１ｂと、嵌合部５１１ｃとを有している。
【００９２】
コネクタ保持部取付部５１１ａは、コネクタ保持部５１２が着脱可能に取り付けられる部位である。つまり、コネクタ保持部取付部５１１ａに形成された溝にコネクタ保持部５１２が挿入されることで、コネクタ保持部５１２が取り付けられる。
【００９３】
ガイド部５１１ｂは、第一配線４４０の配線経路を案内する曲面形状の部位である。つまり、基板６００から延びる第一配線４４０がコネクタ５１３〜５１５に接続される際に、曲面形状のガイド部５１１ｂに沿って配線される。
【００９４】
嵌合部５１１ｃは、取付部３１０の突起部３１２と嵌合する貫通孔である。つまり、嵌合部５１１ｃと突起部３１２とが嵌合することで、外部配線接続部５１０が規制部材３００の取付部３１０に取り付けられる。
【００９５】
コネクタ保持部５１２は、コネクタ５１３〜５１５を保持する部位である。具体的には、コネクタ保持部５１２には、コネクタ５１３〜５１５が挿入される３つの矩形状の開口部５１２ａ〜５１２ｃが形成されている。そして、コネクタ保持部５１２は、開口部５１２ａ〜５１２ｃにコネクタ５１３〜５１５のそれぞれが挿入されることで、コネクタ５１３〜５１５を保持する。
【００９６】
コネクタ５１３〜５１５は、第一配線４４０が接続されるコネクタである。つまり、コネクタ５１３〜５１５に外部の第二配線が接続されることで、第一配線４４０と第二配線とが接続される。例えば、コネクタ５１３は、外部の第二配線からの電気信号を第一配線４４０へ伝える入力用のコネクタであり、コネクタ５１４は、第一配線４４０からの電気信号を外部の第二配線へ伝える出力用のコネクタである。コネクタ５１３〜５１５は、それぞれ同じ形状であってもよいし、異なる形状であってもよい。
【００９７】
なお、外部配線接続部５１０は、３つのコネクタ５１３〜５１５の全てを有していなくともよく、例えば、コネクタ５１５を有していなくともよい。この場合、コネクタ保持部５１２に形成された開口部５１２ａにはコネクタが取り付けられないため、外部配線接続部５１０は、コネクタが取り付けられない開口部５１２ａを閉塞する閉塞部材５１６を備えることにしてもよい。
【００９８】
次に、配線経路形成部５２０の構成について、詳細に説明する。
【００９９】
図１０は、本発明の実施の形態に係る配線経路形成部５２０の外観を示す斜視図である。
【０１００】
配線経路形成部５２０は、複数の単位モジュール１１、１２及び１３のうちの２つの単位モジュールを跨ぐように配置され、当該２つの単位モジュール間を跨る配線の配線経路を形成する部材である。つまり、配線経路形成部５２０は、複数の単位モジュール１１、１２及び１３のうちの隣り合う２つの単位モジュールが有する隣り合う２つの取付部３１０に跨って、着脱可能に取り付けられる。
【０１０１】
同図に示すように、配線経路形成部５２０は、配線経路５２１と、嵌合部５２２とを有している。なお、配線経路形成部５２０は、例えば樹脂などの絶縁性の材料により構成されている。
【０１０２】
配線経路５２１は、配線経路形成部５２０の内方に形成された第一配線４４０の配線経路である。つまり、配線経路５２１は、単位モジュール１２及び１３の蓄電素子２００の正極端子２３０及び負極端子２４０に接続された第一配線４４０を、単位モジュール１１に配置された基板６００に導くための直線状の経路である。
【０１０３】
嵌合部５２２は、取付部３１０の突起部３１２と嵌合する貫通孔である。つまり、嵌合部５２２と突起部３１２とが嵌合することで、配線経路形成部５２０が規制部材３００の取付部３１０に取り付けられる。
【０１０４】
次に、外部配線接続部５３０の構成について、詳細に説明する。
【０１０５】
図１１は、本発明の実施の形態に係る外部配線接続部５３０の外観を示す斜視図である。また、図１２は、本発明の実施の形態に係る外部配線接続部５３０を分解した場合の各構成要素を示す分解斜視図である。
【０１０６】
これらの図に示すように、外部配線接続部５３０は、本体部５３１と、コネクタ５３２とを有している。なお、外部配線接続部５３０は、例えば樹脂などの絶縁性の材料により構成されている。
【０１０７】
本体部５３１は、外部配線接続部５３０の本体であり、図１２に示すように、コネクタ５３２が挿入される矩形状の開口部５３１ａが形成されている。つまり、本体部５３１は、開口部５３１ａにコネクタ５３２が挿入されることで、コネクタ５３２を保持する。
【０１０８】
また、本体部５３１には、外部配線接続部５１０や配線経路形成部５２０と同様に、取付部３１０の突起部３１２と嵌合する貫通孔である嵌合部（図示せず）が設けられている。つまり、当該嵌合部と突起部３１２とが嵌合することで、外部配線接続部５３０が規制部材３００の取付部３１０に取り付けられる。
【０１０９】
コネクタ５３２は、基板６００からの配線に接続されるコネクタであり、例えば、コネクタ５３２に外部の冷却装置４０のケーブルが接続されることで、基板６００からの電気信号を冷却装置４０へ伝えることができる。
【０１１０】
なお、蓄電モジュール１が冷却装置４０を備えていない場合には、外部配線接続部５３０は、コネクタ５３２を有していなくともよい。この場合、本体部５３１に形成された開口部５３１ａにはコネクタが取り付けられないため、外部配線接続部５３０は、コネクタが取り付けられない開口部５３１ａを閉塞する閉塞部材５３３を備えることにしてもよい。
【０１１１】
これにより、外部配線接続部５３０は、規制部材３００の取付部３１０に形成された開口部３１１を塞ぐ閉塞部材となる。つまり、この場合、モジュール群１０は、取付部３１０に形成された複数の開口部３１１のうちの外部配線接続部５１０及び配線経路形成部５２０が取り付けられていない開口部３１１を閉塞する閉塞部材として、外部配線接続部５３０を備えることとなる。
【０１１２】
次に、蓄電モジュール１の活用例について説明する。
【０１１３】
まず、蓄電モジュール１が、複数の蓄電モジュールを備える蓄電パック内に収容されて使用される例について、説明する。図１３は、本発明の実施の形態に係る蓄電モジュール１を備える蓄電パック２の構成を示す斜視図である。
【０１１４】
同図に示すように、蓄電パック２は、蓄電モジュールが複数個（例えば１０個〜４０個）配列された大型の電源装置であり、電力貯蔵用途や大型の電源用途などに使用される電池パックである。当該複数の蓄電モジュールのうちの隣り合う蓄電モジュールの正極外部端子４１０と負極外部端子４２０とが電気的に接続されることで、高電圧の蓄電パック２を構成している。なお、蓄電パック２に備えられる蓄電モジュールの個数は、特に限定されない。
【０１１５】
ここで、蓄電パック２は、蓄電モジュール１と、蓄電モジュール１ａ、１ｂと、蓄電モジュール１、１ａ、１ｂを収容するパックケース２ａとを備えている。蓄電モジュール１ａ、１ｂは、蓄電モジュール１とは異なる蓄電モジュールである。
【０１１６】
例えば、蓄電モジュール１ａ、１ｂは、蓄電モジュール１とは異なり、冷却装置４０を備えていない。このため、蓄電モジュール１ａ、１ｂが備える外部配線接続部５３０ａ、５３０ｂは、図１２に示されたコネクタ５３２に代えて閉塞部材５３３を備えており、取付部３１０の開口部３１１を塞いでいる。
【０１１７】
つまり、外部配線接続部を着脱可能とすることで、蓄電モジュールの設計自由度を上げることができるが、その一例として、冷却装置４０などの温度調整機器を一部の任意の蓄電モジュールだけに取り付けることができるようになる。
【０１１８】
また、蓄電パック２内の複数の蓄電モジュールはマスタースレーブの関係にあり、例えば、蓄電モジュール１がマスターであり、蓄電モジュール１ａ、１ｂがスレーブであることとする。つまり、蓄電モジュール１が備える外部配線接続部５１０は、マスターに応じたコネクタを有する必要があり、蓄電モジュール１ａ、１ｂが備える外部配線接続部５１０ａ、５１０ｂは、スレーブに応じたコネクタを有する必要がある。
【０１１９】
この場合、それぞれの蓄電モジュールが有する外部配線接続部のコネクタ保持部に挿入するコネクタの形状を変更したり、コネクタ保持部をマスターまたはスレーブに合わせたコネクタを保持するコネクタ保持部に変更したりすることにより、蓄電モジュールを構成することができる。
【０１２０】
そして、蓄電モジュール１ａ、１ｂの外部配線接続部５１０ａ、５１０ｂに接続された第二配線５０が、蓄電モジュール１の外部配線接続部５１０に接続されることで、蓄電モジュール１の第一配線４４０に外部の第二配線５０が接続される。
【０１２１】
つまり、外部配線接続部５１０は、取付部３１０に取り付けられた場合に第一配線４４０に接続され、蓄電モジュール１を備える蓄電パック２内の蓄電モジュール１とは異なる蓄電モジュール１ａ、１ｂに接続された第二配線５０と接続されることで、第一配線４４０と第二配線５０とを接続する。
【０１２２】
次に、蓄電モジュール１が格納棚に格納されて使用される例について、説明する。図１４は、本発明の実施の形態に係る蓄電モジュール１が格納される格納棚３の構成を示す斜視図である。
【０１２３】
同図に示すように、格納棚３は、蓄電モジュール１が格納される棚であり、内方の奥側（Ｘ軸マイナス側）の面にコネクタ３ａを有している。そして、蓄電モジュール１がＸ軸マイナス方向に向けて格納棚３に差し込まれると、蓄電モジュール１の短側面側に配置されている外部配線接続部５１０がコネクタ３ａと接続される。これにより、蓄電モジュール１の第一配線４４０と、コネクタ３ａに配置された外部の第二配線とが接続される。
【０１２４】
なお、冷却装置４０は、外部配線接続部５１０が配置されている蓄電モジュール１の短側面側（格納棚３の奥側）から空気を吸い込むため、蓄電モジュール１内を効率的に冷却することができる。
【０１２５】
以上のように、本発明の実施の形態に係る蓄電モジュール１によれば、蓄電素子２００に接続される第一配線４４０と外部の第二配線とを接続するための外部配線接続部５１０が、取付部３１０に着脱可能に取り付けられる構成を有している。このため、蓄電モジュール１の構成を変更した場合でも、外部配線接続部５１０を取り替えることで、蓄電モジュール１の構成に合った配線を接続することができる。また、蓄電モジュール１に配線を接続する必要がない場合には、外部配線接続部５１０を取り外したり、不要なコネクタが配置されていない外部配線接続部５１０を取り付けるなど、蓄電モジュール１の構成を簡略化することもできる。以上のように、着脱可能な外部配線接続部５１０を有することによって、蓄電モジュール１の設計自由度を向上させることができる。
【０１２６】
また、外部配線接続部によって、蓄電パック２内の２つの蓄電モジュールを接続することができる。つまり、当該２つの蓄電モジュールの構成が異なる場合でも、蓄電モジュールの構成に合った外部配線接続部を取り付けることで、当該２つの蓄電モジュールを接続することができ、蓄電モジュールの設計自由度を向上させることができる。
【０１２７】
また、外部配線接続部５１０は、コネクタ５１３〜５１５を保持するコネクタ保持部５１２が本体部５１１に着脱可能に取り付けられる構成を有している。このため、蓄電モジュール１の構成を変更した場合でも、コネクタ保持部５１２を取り替えることで、蓄電モジュール１の構成に合った配線を接続することができる。また、蓄電モジュール１に配線を接続する必要がない場合には、コネクタ保持部５１２を取り外したり、不要なコネクタが配置されていないコネクタ保持部５１２を取り付けるなど、蓄電モジュール１の構成を簡略化することもできる。以上のように、着脱可能なコネクタ保持部５１２を有することによって、蓄電モジュール１の設計自由度を向上させることができる。
【０１２８】
また、外部配線接続部５１０の本体部５１１は、第一配線４４０の配線経路を案内する曲面形状のガイド部５１１ｂを有しているため、第一配線４４０を折り曲げたりすることなく、容易に外部配線接続部５１０に接続することができる。
【０１２９】
また、外部配線接続部５１０は、蓄電素子２００の正極端子２３０及び負極端子２４０の並び方向側の蓄電モジュール１の側面に配置されている。ここで、第一配線４４０が配置される基板６００を、蓄電素子２００の正極端子２３０と負極端子２４０との間の隙間に配置する場合には、蓄電モジュール１の当該並び方向側の端部には基板６００は配置されない。このため、基板６００上にコネクタを設ける構成では、正極端子２３０と負極端子２４０とが邪魔になり、蓄電モジュール１の当該並び方向側の側面から第二配線と接続させることは困難である。しかし、外部配線接続部５１０を蓄電モジュール１の当該並び方向側の側面に配置することで、基板６００を蓄電素子２００の正極端子２３０と負極端子２４０との間の隙間に配置する場合であっても、正極端子２３０と負極端子２４０とが邪魔になることなく、容易に当該並び方向側の側面から第二配線と接続させることができる。したがって、蓄電モジュール１の当該並び方向側の側面側に第二配線が配置される場合でも、第二配線を外部配線接続部５１０のコネクタに接続することで、容易に、当該並び方向側の側面から第二配線と接続させることができる。
【０１３０】
また、外部配線接続部５１０は、蓄電モジュール１の短側面側に配置されているため、例えば当該短側面側に配置された第二配線を有する格納棚３に向けて蓄電モジュール１を差し込むような場合には、容易に、第二配線を外部配線接続部５１０に接続することができる。
【０１３１】
また、蓄電モジュール１は、複数の開口部３１１のうち、コネクタを取り付ける必要のない開口部３１１には、当該開口部３１１を閉塞する閉塞部材（閉塞部材５１６、５３３、開口部５１２ａ〜５１２ｃが閉塞された外部配線接続部５１０、または開口部５３１ａが閉塞された外部配線接続部５３０）が設けられる構成を有している。このため、当該開口部３１１から異物が蓄電モジュール１内に侵入するのを防ぐことができる。特に、冷却装置４０のようなファンなどによって蓄電モジュール１内に空気を吸い込んで空冷している場合には、空気を吸い込む際に異物が侵入するおそれがあるが、当該閉塞部材を備えることによって異物の侵入を容易に防ぐことができる。
【０１３２】
また、蓄電モジュール１は、複数の単位モジュール１１、１２及び１３を備えており、外部配線接続部５１０は、最も外側の単位モジュール１１の取付部３１０に取り付けられているため、第二配線を蓄電モジュール１に容易に接続することができる。また、簡易な構造の複数の単位モジュール１１、１２及び１３を並べることで、蓄電モジュール１を簡易に構成することができる。
【０１３３】
また、蓄電モジュール１は、２つの単位モジュール間を跨る配線の配線経路を形成する配線経路形成部５２０を備えているため、２つの単位モジュール間での配線を容易に行うことができる。
【０１３４】
また、複数の単位モジュール１１、１２及び１３のそれぞれは、外部配線接続部５１０及び配線経路形成部５２０を着脱可能に取り付けることができる２つの取付部３１０を有しているため、必要に応じて、外部配線接続部５１０及び配線経路形成部５２０を付け替えることができる。
【０１３５】
また、蓄電モジュール１において、外部配線接続部５１０が備えられた単位モジュール１１に基板６００が配置されているため、コネクタ５１３〜５１５の近くに基板６００を配置することができ、コネクタ５１３〜５１５と基板６００とを繋ぐケーブルの長さを短くすることができる。
【０１３６】
また、基板６００は、冷却装置４０が流入させる冷却媒体の流れの上流の単位モジュール１１に配置されているため、流入した冷却媒体が基板６００に触れることにより、蓄電素子２００から発せられる熱によって基板６００が熱くなるのを抑制することができる。
【０１３７】
以上、本発明の実施の形態に係る蓄電モジュールについて説明したが、本発明は、上記実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１３８】
例えば、上記実施の形態では、外部配線接続部５１０は、本体部５１１に着脱可能に取り付けられるコネクタ保持部５１２を有していることとしたが、コネクタ保持部５１２は本体部５１１に固定されている構成でもかまわない。
【０１３９】
また、上記実施の形態では、外部配線接続部５１０は、蓄電モジュール１の、正極端子２３０及び負極端子２４０の並び方向側の側面に配置されることとしたが、外部配線接続部５１０は、当該側面以外の側面に配置されていてもかまわない。
【０１４０】
また、上記実施の形態では、外部配線接続部５１０は、蓄電モジュール１の短側面側に配置されることとしたが、外部配線接続部５１０は、当該短側面側以外の側面に配置されていてもかまわない。
【０１４１】
また、上記実施の形態では、外部配線接続部５１０は、複数の単位モジュールのうちの最も外側の単位モジュールに備えられることとしたが、外部配線接続部５１０は、内側の単位モジュールに備えられることにしてもよい。
【０１４２】
また、上記実施の形態では、単位モジュール１１、１２、１３の規制部材３００は、外部配線接続部５１０、５３０及び配線経路形成部５２０を着脱可能に取り付けることができる取付部３１０を有していることとしたが、これには限定されない。例えば、単位モジュール１１の規制部材３００は、外部配線接続部５１０のみを着脱可能に取り付けることができる取付部と、配線経路形成部５２０のみを着脱可能に取り付けることができる取付部とを有している構成でもかまわない。
【０１４３】
また、上記実施の形態では、基板６００は、複数の単位モジュールのうちの外部配線接続部５１０が備えられる単位モジュールに配置されることとしたが、基板６００は、外部配線接続部５１０が備えられていない単位モジュールに配置されることにしてもよい。
【０１４４】
また、上記実施の形態では、基板６００は、複数の単位モジュールのうちの冷却媒体の流れの上流の単位モジュールに配置されることとしたが、基板６００は、冷却媒体の流れの下流の単位モジュールに配置されることにしてもよい。
【０１４５】
また、上記実施の形態では、蓄電モジュール１は、冷却装置４０を備えていることとしたが、蓄電モジュール１は、冷却装置４０を備えていない構成でもかまわない。
【産業上の利用可能性】
【０１４６】
本発明は、１以上の蓄電素子をモジュールケースに収容した蓄電モジュールや、複数の蓄電モジュールをパックケースに収容した蓄電パック等に適用できる。
【符号の説明】
【０１４７】
１、１ａ、１ｂ  蓄電モジュール
２  蓄電パック
２ａ  パックケース
３  格納棚
３ａ  コネクタ
１０  モジュール群
１１、１２、１３  単位モジュール
１１ａ  正極外部端子カバー
１１ｂ  負極外部端子カバー
１４  モジュールケース
２０  下側連結部材
３０  上側連結部材
４０  冷却装置
５０  第二配線
１００  ケース本体
２００  蓄電素子
２１０  容器
２２０  容器蓋部
２３０  正極端子
２４０  負極端子
２５０  電極体
２６０  正極集電体
２７０  負極集電体
３００  規制部材
３１０  取付部
３１１、３２０  開口部
３１２  突起部
４１０  正極外部端子
４２０  負極外部端子
４３０  バスバー
４４０  第一配線
５１０、５１０ａ、５１０ｂ、５３０、５３０ａ、５３０ｂ  外部配線接続部
５１１、５３１  本体部
５１１ａ  コネクタ保持部取付部
５１１ｂ  ガイド部
５１１ｃ、５２２  嵌合部
５１２  コネクタ保持部
５１２ａ、５１２ｂ、５１２ｃ、５３１ａ  開口部
５１３、５１４、５１５、５３２  コネクタ
５１６、５３３  閉塞部材
５２０  配線経路形成部
５２１  配線経路
５４０  閉止部材
６００  基板
７００  蓋体
【図１】
2015002078.tif 000003
【図２】
2015002078.tif 000004
【図３】
2015002078.tif 000005
【図４】
2015002078.tif 000006
【図５】
2015002078.tif 000007
【図６】
2015002078.tif 000008
【図７】
2015002078.tif 000009
【図８】
2015002078.tif 000010
【図９】
2015002078.tif 000011
【図１０】
2015002078.tif 000012
【図１１】
2015002078.tif 000013
【図１２】
2015002078.tif 000014
【図１３】
2015002078.tif 000015
【図１４】
2015002078.tif 000016